(57)【要約】  注入アセンブリと、前記注入アセンブリに動作可能なように固定可能な引き込みアセンブリと、を有する自動注入シリンジが提供される。前記引き込みアセンブリは、針ハブを有する皮下注射針と、前記皮下注射針の一部がそれを貫通する下部シールを有する端部キャップと、前記針ハブと前記端部キャップとの間に配置されて、それらの間で部分的に圧縮された状態で維持される引き込みバネと、前記針ハブ上の前記引き込みバネの力によって前記引き込みアセンブリの面状の密封面に対して付勢される上部シールであって、該上部シールと前記下部シールとの間に密封された領域が画成されるようになっている上部シールと、前記密封された領域と前記引き込みアセンブリの外部との間での均圧化のために前記密封された領域との間で流体連通している通気手段と、を有する。
2009501615.tif 000002
【特許請求の範囲】
【請求項１】
その内部の密封された領域内に保持された皮下注射針を有する引き込みアセンブリと、
前記密封された領域と前記引き込みアセンブリの外部との間での均圧化のために前記密封された領域との間で流体連通している通気手段と、
を有し、
前記通気手段は、微生物フィルタである自動注入シリンジ。
【請求項２】
更に、前記引き込みアセンブリに動作可能なように接続可能な注入アセンブリを有する請求項１に記載の自動注入シリンジ。
【請求項３】
更に、前記引き込みアセンブリ内に動作可能なように挿入可能な薬剤カートリッジを有する請求項２に記載の自動注入シリンジ。
【請求項４】
前記引き込みアセンブリは、前記密封された領域をその間に画成する上部シールと下部シールとを有し、前記上部シールは、部分的に偏倚させられた引き込みバネによって前記引き込みアセンブリの一部との間での密封係合が維持される請求項１に記載の自動注入シリンジ。
【請求項５】
前記下部シールは、前記皮下注射針の一部がそれを貫通することができる突き通し可能な弾性シールを有する請求項４に記載の自動注入シリンジ。
【請求項６】
前記通気手段は、多孔性プラスチックの端部キャップを有する請求項１に記載の自動注入シリンジ。
【請求項７】
前記多孔性プラスチックの端部キャップは更に、前記皮下注射針の一部がそれを貫通することができる突き通し可能な弾性シールを有する請求項６に記載の自動注入シリンジ。
【請求項８】
前記密封された領域は、滅菌されている請求項１に記載の自動注入シリンジ。
【請求項９】
注入アセンブリと、
前記注入アセンブリに動作可能なように固定可能な引き込みアセンブリと、
を有し、前記引き込みアセンブリは、
針ハブを有する皮下注射針と、
前記皮下注射針の一部がそれを貫通することができる下部シールを有する端部キャップと、
前記針ハブと前記端部キャップとの間に配置され、それらの間で部分的に圧縮された状態で維持される引き込みバネと、
前記針ハブ上の前記引き込みバネの力によって前記引き込みアセンブリの面状の密封面に対して付勢される上部シールであって、該上部シールと前記下部シールとの間に密封された領域が画成され、前記皮下注射針が該密封された領域内に配置されるようになっている上部シールと、
前記密封された領域と前記引き込みアセンブリの外部との間での均圧化のために前記密封された領域との間で流体連通している通気手段と、
を有し、
前記通気手段は、微生物フィルタである自動注入シリンジ。
【請求項１０】
更に、前記注入アセンブリと前記引き込みアセンブリとが互いに固定されるときに、前記注入アセンブリ及び前記引き込みアセンブリ内に受容されるようになっている薬剤カートリッジを有する請求項９に記載の自動注入シリンジ。
【請求項１１】
更に、前記引き込みアセンブリが動作可能なように前記注入アセンブリに固定されるときに前記引き込みアセンブリと前記注入アセンブリとの間に気密シールを形成するＯリング部材を有する請求項９に記載の自動注入シリンジ。
【請求項１２】
前記端部キャップは、該端部キャップが前記通気手段となるように、前記均圧化を可能とするのに十分な多孔性を有する熱可塑性材料を有する請求項９の自動注入シリンジ。
【請求項１３】
前記密封された領域は、滅菌されている請求項９に記載の自動注入シリンジ。
【請求項１４】
注入アセンブリと、
その内部の密封された領域内に保持された皮下注射針を有する引き込みアセンブリであって、前記注入アセンブリに動作可能なように接続可能な引き込みアセンブリと、
前記密封された領域と前記引き込みアセンブリの外部との間での均圧化のために前記密封された領域との間で流体連通している通気手段と、
を有し、
前記通気手段は、微生物フィルタである注入キット。
【請求項１５】
前記引き込みアセンブリは、
前記皮下注射針に固定された針ハブと、
前記皮下注射針の一部がそれを貫通することができる下部シールを有する端部キャップと、
前記針ハブと前記端部キャップとの間に配置され、それらの間で部分的に圧縮された状態で維持される引き込みバネと、
前記針ハブ上の前記引き込みバネの力によって前記引き込みアセンブリの面状の密封面に対して付勢される上部シールであって、該上部シールと前記下部シールとの間に前記密封された領域が画成されるようになっている上部シールと、
を有する請求項１４に記載の注入キット。
【請求項１６】
更に、前記注入アセンブリと前記引き込みアセンブリとが互いに固定されるときに、前記注入アセンブリ及び前記引き込みアセンブリ内に受容されるようになっている薬剤カートリッジを有する請求項１５に記載の注入キット。
【請求項１７】
更に、少なくとも１つの注入部位清浄化スワブを有する請求項１５に記載の注入キット。
【請求項１８】
更に、粘着性包帯を有する請求項１５に記載の注入キット。
【請求項１９】
更に、前記注入アセンブリ及び前記引き込みアセンブリを収容するパッケージを有する請求項１６の注入キット。
【請求項２０】
前記パッケージは、最終的に滅菌されている請求項１９に記載の注入キット。
【発明の詳細な説明】
【技術分野】
【０００１】
１．発明の分野
本開示は、自動注入シリンジに関するものである。より詳細には、本開示は、通気手段を有する自動注入シリンジに関するものである。
【背景技術】
【０００２】
２．関連技術の説明
例えば、エイズ、肝炎、その他の病気が一般の人たちの間で増加している。その結果、不慮の針刺し損傷のリスクからの保護を提供する製品の使用を制度化する傾向が引き続き存在している。多くの従来の装置は、不慮の針刺し損傷を軽減することを意図した自己引き込み針を有する。
【０００３】
アレルギー誘発アナフィラキシーショック、並びに、化学兵器、核兵器及び生物兵器への暴露などの、命にかかわる多くの状況は、自動注入シリンジの使用を必要とすることがある。典型的な自動注入シリンジは、自動注入を手動にて始動させることによって、医学的に訓練されてない使用者が薬剤を自動的に注入することを可能とする。いくつかの従来の自動注入シリンジは、自己引き込み針も組み込んでいる。
【０００４】
そのような装置の流体経路部分を、使用前に滅菌（sterile）状態又は無菌（aseptic）状態に維持することは、従来の装置では困難であることが分かった。更に、そのような装置の組み立ては、時間がかかり、又費用がかかることが分かった。
【０００５】
従って、従来技術の上述の及びその他の不利益及び欠点の１つ以上を克服、緩和、又は軽減する、改良された自動注入シリンジが継続して必要とされている。
【発明の開示】
【０００６】
本開示の目的の１つは、通気手段を有する自動注入シリンジを提供することである。
【０００７】
本開示の他の目的の１つは、組み立て容易な自動注入シリンジであって、当該シリンジ内への薬剤カートリッジの組み込み前には、針が、通気手段が設けられた滅菌及び／又は無菌領域内に保持されているシリンジを提供することである。
【０００８】
本開示の更に他の目的の１つは、注入アセンブリと、引き込みアセンブリと、を有する自動注入シリンジを提供することである。注入アセンブリと引き込みアセンブリとは、使用者によって互いに動作可能なように接続（結合）されることが可能である。引き込みアセンブリは、注入アセンブリと引き込みアセンブリとの組み立て前には通気手段が設けられた滅菌及び／又は無菌領域内に保持されている針を有する。
【０００９】
本開示の更に他の目的の１つは、注入アセンブリと、引き込みアセンブリと、を有する自動注入シリンジを提供することである。注入アセンブリと引き込みアセンブリとは、使用者によって互いに動作可能なように接続されることが可能である。引き込みアセンブリは、滅菌及び／又は無菌領域をその間に画成するための上部シール及び下部シールを有する。組み立てを容易にするために、上部シールは、使用前には、引き込みアセンブリの部分的に偏倚させられた引き込みバネによって、所定の位置に保持されている。引き込みアセンブリは、滅菌及び／又は無菌領域とシリンジの外部との間での圧力を均等にする（均圧化する）ための通気手段を有する。いくつかの好ましい実施形態では、通気手段は、引き込みアセンブリの多孔性プラスチックの端部キャップによって構成される。
【００１０】
本開示の更に他の目的の１つは、自動注入シリンジのための引き込みアセンブリを提供することである。引き込みアセンブリは、上部シールと、端部キャップと、を有する。上部シールは、使用前には、部分的に偏倚させられた引き込みバネによって、所定の位置に保持されている。端部キャップは、多孔性プラスチック材料によって構成される。多孔性プラスチック材料は、通気を可能として、これにより、圧力差が引き込みバネの力に打ち勝つこと、並びに、注入機構（注射機構）を作動させることによってそれを通して針要素が貫通する突き通し可能な（貫通可能な）弾性シール（エラストマーシール）を乗り越えることを防止することができる。
【００１１】
当業者は、以下の詳細な説明、図面、及び添付の特許請求の範囲から、本開示における上述の及びその他の特徴並びに利点を、評価し、又理解するだろう。
【発明を実施するための最良の形態】
【００１２】
図面、特に、図１〜図３を参照すると、本開示に従う自動注入シリンジ１０の典型的な実施形態が示されている。シリンジ（注射器）１０は、起動することによって、自動的に皮下注射針をアセンブリ（組立部品）内から注入部位（注射部位）における組織内へと伸長させ、予め測定されている１回分の投与量の薬剤を注入し、そして注入が完了した後に自動的に皮下注射針をアセンブリ内へと引っ込める（退避させる）ように構成されている。
【００１３】
好都合にも、シリンジ１０は、通気手段（通気装置）を備えた１つ以上の密封された領域を有する。この通気手段は、その密封された領域に汚染物質（例えば、粒子、細菌、ウイルス、その他）が入るのを防止する一方で、その密封された領域が当該密封された領域とシリンジの外部の環境との間での圧力を均等にする（均圧化する）、即ち、通気することを可能とする。本開示の通気手段が、輸送の間、多くの場合は使用者によって運ばれるか又は保管されるときに遭遇する様々な大気状態に曝されたときに、上記密封された領域を通気させ得ることが確認された。加えて、本開示の通気手段は、好都合にも、これらに限定されるものではないが、例えば、エチレンオキシド（ＥｔＯ）ガスへの露出、ガンマ線照射、蒸気、乾熱、及びその他の処理を用いてシリンジを滅菌することを可能とすることができる。
【００１４】
シリンジ１０は、注入アセンブリ１２、薬剤カートリッジ１４、及び引き込みアセンブリ１６を有する。従って、シリンジ１０は、必要に応じて、使用者又は医療（ヘルスケア）提供者（例えば、薬剤師、医師、看護師、その他）によって迅速且つ簡単に組み立てられる、複数部品（マルチコンポーネント）の装置である。シリンジ１０は、製造時における組み立てを必要としないので、本開示によれば、薬剤カートリッジ１４の有効期限（使用期限）を、シリンジ１０の有効期限から効果的に切り離すことができる。
【００１５】
例えば、典型的なインフルエンザ（流感）のワクチンは、１年の有効期限を有する。病院（診療所）で並んで待つこと及び移動代金を払うこと更には外来診療の費用と比較して、一般大衆が自己接種のための手段を有することにより得られる利益は自明のことであるが、インフルエンザのシーズンの深刻度、従って、ワクチンが装填された装置の予想される需要を、製造時に正確に予測することは困難である。従って、もしも装置全体が、大抵の場合は他の装置でも必要とされる薬剤カートリッジをも含んで予め組み立てられており、インフルエンザのシーズンの深刻度が予想されたものよりも低かった場合には、装置全体が時期遅れとなるであろうことを考えると、ワクチンの有効期限切れによる費用は過度となるだろう。これとは反対に、本発明の場合は、薬剤カートリッジ１４は、需要が明らかとなるまで、シリンジ１０から分離して保存することができる。従って、使用者又は医療提供者は、単に任意の有効期限が切れた薬剤カートリッジ１４を交換すれば、格段に長い有効寿命を有する注入アセンブリ１２及び引き込みアセンブリ１６の供給を維持することができる。
【００１６】
図示の実施形態では、注入アセンブリ１２と引き込みアセンブリ１６とは、注入後に両アセンブリを互いから取り外すことができないように、スナップフィット（弾発係合）方式で互いに固定することができる。例えば、注入アセンブリ１２は、１つ以上の半径方向（放射方向）に突出したタブ１８を有することができ、このタブ１８が、引き込みアセンブリ１６に画成された対応する数の開口部２０と、干渉係合（関係）にて共働する。注入アセンブリ１２が引き込みアセンブリ１６内に挿入されると、タブ１８が引き込みアセンブリに作用して、その管の内部寸法（内径）を変形させる。タブ１８が開口部２０によって受容されると、引き込みアセンブリ１６の内部寸法は、引き込みアセンブリ１６自身の弾力性によってその元の寸法へと戻り、開口部内にタブを取り外せないように（永久的に）固定する。
【００１７】
勿論、本開示は、注入アセンブリ１２と引き込みアセンブリ１６とを、好ましくは、注入後に互いから取り外せなくするような、任意の所望の方法にて互いに固定することをも意図する。
【００１８】
組み立てられた状態で、注入アセンブリ１２と引き込みアセンブリ１６とは、それらの間に密閉、即ち、気密シールを画成する。例えば、注入アセンブリ１２は、これに限定されるものではないが、Ｏリングなどの密封部材２２を有することができる。注入アセンブリ１２と引き込みアセンブリ１６とが軸方向に組み立てられて一緒に固定されると、密封部材２２は、引き込みアセンブリの内側及び注入アセンブリの外側と共働して、それらの間に半径方向（放射方向）の気密シールを形成する。図示の実施形態では、密封部材２２は、引き込みアセンブリ１６に画成された開口部２０よりも内部に配置され、タブ１８と開口部２０との間のスナップフィット接続部よりも下方に気密シールを提供する。従って、薬剤カートリッジ１４の外部の領域とシリンジ１０の内部とは、密封部材２２と引き込み／注入アセンブリ１６、１８との相互作用によって、互いから密閉されている。
【００１９】
一般に、注入アセンブリ１２は、注入バネ（スプリング）を有する。引き込みアセンブリ１６は、薬剤カートリッジ１４を受容し、又皮下注射針及び引き込みバネを有する。注入アセンブリ１２を起動することによって、注入バネのバネ力は引き込みバネのバネ力に打ち勝って針を注入部位における組織内へと挿入し、薬剤カートリッジを針と流体連通する位置へと配置し、そして薬剤カートリッジから薬剤を投薬（分注）する。薬剤が注入されると、注入アセンブリ１２は自動的に注入バネの接続を断ち、これにより引き込みバネが引き込みアセンブリ１６内に針を引き戻すことができる。
【００２０】
明瞭さを期すために、注入アセンブリ１２の詳細な動作は、本明細書には記載されない。寧ろ、注入アセンブリ１２は、図２及び図３に示すように注入方向２６へとプランジャロッド２４を駆動することによって薬剤をカートリッジ１４から筋肉内、皮下、及び／又は皮内に注入するために、既知の任意の方法で動作することができる。例えば、注入アセンブリ１２は、本発明者に係る米国特許第６，３８７，０７８号に示され又説明されている方法にて動作することができ、その内容は参照によりその全体が本明細書に組み込まれる。
【００２１】
上述のように、シリンジ１０は、製造時における組み立てを必要としない。図３を参照して、シリンジ１０の組み立てについて説明する。カートリッジ１４は、薬剤バイアル（薬瓶）３０、可動栓（移動可能ストッパー）３２、及び圧着キャップ（クリンプ蓋）３４を有する。キャップ３４は、刺し通し可能な（貫通可能な）部材３６を有する。
【００２２】
カートリッジ１４は、キャップ３４及び刺し通し可能部材３５が引き込みアセンブリ１６の下部に近接する一方で、可動栓３２が注入アセンブリ１２に隣接するようにして、引き込みアセンブリ１６内に挿入される。
【００２３】
カートリッジ１４が引き込みアセンブリ１６内に装着されると、注入アセンブリと引き込みアセンブリとは、動作可能なように互いに固定することができる。組み立てることによって、プランジャロッド２４は栓３２の直近位に配置され、キャップ３４は上部シール４４と接触して配置される（図４及び図５）。組み立てられた位置において、注入アセンブリ１２を起動すると、プランジャロッド２４は、初めに薬剤カートリッジ１４を注入方向２６へと移動させ、次に栓３２を注入方向２６へと移動させ、これによってそれぞれ、針を挿入させ、カートリッジからその中に収容された薬剤を放出させる。
【００２４】
図４及び図５を参照して、引き込みアセンブリ１６について説明する。引き込みアセンブリ１６は、引き込みバネ４０、両頭（double-ended）針４２、上部シール４４、端部キャップ４６、及び下部シール４８を有する。
【００２５】
上部シール４４は、カートリッジ１４のキャップ３４を受容するように構成されている。上部シール４４は、引き込みアセンブリ１６に画成された面状（端面）の密封面５０及び／又は半径方向（放射方向）の密封面６０に対して気密シールを形成するように構成されている。
【００２６】
シリンジ１０の起動前には、引き込みバネ４０は、針ハブ６６と端部キャップ４６との間で部分的に圧縮された位置に保持されている。この位置において、引き込みバネ４０は、針ハブ６６を注入方向２６とは反対方向に付勢して（駆り立てて）、上部シール４４を密封面５０と接触した状態に維持し、従って、密封面５０に対して密封された状態に維持する。好都合にも、引き込みアセンブリ１６は、製造中に最終的に滅菌されることが可能であり、これにより上部シール４４と下部シール４８との間に滅菌又は無菌（以下「滅菌」という。）内部領域５２が画成される。このようにして、内部領域５２は、シリンジ１０の起動前に、針４２を滅菌又は無菌状態に維持する。
【００２７】
内部領域５２と外部５４との間の圧力差を調節する能力が無いと、その圧力差が、場合によっては、バネ４０の力に打ち勝ち、それによって上部シール４４と密封面５０との間の接触が断たれることがあることが分かった。上部シール４４とその密封面５０との間の接触を断つことは、内部空間５２の滅菌又は無菌状態を危険にさらす。
【００２８】
例えば、引き込みアセンブリ１６（注入アセンブリとの組み立て前）は、製造中、輸送中、又は保管中に、温度及び／又は圧力の変化に曝されることがある。これらの環境条件の変化は、引き込みアセンブリの外部５４と比較して内部領域５２内の圧力を低くするのに十分であることがある。或いは、これらの環境条件の変化は、内部領域５２内の圧力と比較して外部５４の圧力を高くするのに十分であることがある。この内部領域５２と外部５４との間の圧力差は、バネ４０の力に打ち勝つのに十分であることがあり、従って、上部シール４４と密封面５０との間の接触を断つのに充分であったり、且つ／或いは上部シールを注入方向２６へと偏向させて潜在的に針４２の薬剤入口端６２によって穿刺されるようにするのに十分であることがある。
【００２９】
内部領域５２と外部５４との間の圧力差の変化に関連する上記の不都合を解決するために、好都合にも、引き込みアセンブリ１６は通気手段５６を有する。通気手段５６は、内部領域５２を外部５４との流体連通状態に置き、これにより内部領域は、外部との間でガス（気体）を交換することができる。好ましくは、通気手段５６は微生物フィルタであり、これにより内部領域５２は、微生物、（微）粒子、細菌、ウイルスなどが内部領域に入って潜在的にこれを汚染することを許すことなく、外部５４との間でガスを交換することができる。内部領域５２と外部５４との間でのガス交換を可能とすることによって、通気手段５６は、上部シール４４が密封面５０と接触したままであることを確実にする。
【００３０】
一実施形態では、端部キャップ４６が通気手段５６として構成される。例えば、端部キャップ４６は、汚染物質（例えば、微生物、粒子、細菌、ウイルス、その他）が内部領域５２に入るのを防止する一方で、内部領域５２の均圧化（以下「通気」という。）を可能とするのに十分な多孔性を有する、熱可塑性材料（熱可塑性プラスチック）で作製することができる。上述の通気及び滅菌／無菌バリア能力を有する熱可塑性材料は、ジョージア州、フェアバーンのポレックス・テクノロジーズ・コーポレーション（Porex Technologies Corporation）に対する米国特許第６，５５１，６０８に示され又説明されている。
【００３１】
この実施形態では、端部キャップ４６が通気手段５６として機能する。ここで、端部キャップ４６は、好ましくは、モールド成形されるか又は所望の形状に形成された、剛体の熱可塑性材料である。端部キャップ４６は、下部シール４８を針４２に対して所望の位置に保持する。例えば、端部キャップ４６は、単一の要素を形成するように下部シール４８と共に成形することができる。
【００３２】
シリンジ１０は、例示の目的で、端部キャップ４６に通気手段５６を有するものとして記載されていることを理解されたい。勿論、本開示は、内部領域５２と引き込みアセンブリの外部５４との間を流体連通状態にする引き込みアセンブリ１６の任意の部位が通気手段５６を備えることをも意図する。
【００３３】
好都合にも、自動注入シリンジ１０に通気手段５６を設けることは、製造中、輸送中、及び保管中に、内部領域５２の滅菌及び／又は無菌状態を維持することを助ける。
【００３４】
図４及び図５を再度参照すると、針４２は、薬剤入口端６２と組織貫通及び薬剤出口端６４とを有する両頭皮下注射針である。図４に示されるように、出口端６４が下部シール４８に隣接して配置さる一方で、入口端６２が上部シール４４に隣接して配置される。
【００３５】
シリンジ１０の使用中に、プランジャロッド２４の移動は、薬剤カートリッジ１４を注入方向２６へと上部シール４４に向けて付勢し、これによって入口端６２は上部シール及びカートリッジの刺し通し可能部材３６を刺し通し、針をカートリッジ１４との流体連通状態に置く。薬剤カートリッジ１４内の薬剤は非圧縮性流体であるため、プランジャロッド２４の更なる移動は、引き込みバネ４０の力に打ち勝つことによって、針４２をも注入方向２６へと付勢する。従って、出口端６４は、下部シール４８を刺し通し、又注入部位における組織内へと挿入される。最終的に、プランジャロッド２４の移動は、図５に示されるように、栓３２を注入方向２６へと付勢し、これによってカートリッジ１４内の薬剤は、出口端６４を通して使用者内へと放出される。
【００３６】
注入アセンブリ１２がプランジャロッド２４の移動を完了すると、プランジャロッドはその注入バネ（図示せず）から解放され、これによって引き込みバネ４０は、出口端６４が引き込みアセンブリ１６の内部領域５２内へと引き戻されるまで、針４２、カートリッジ１４、及びプランジャロッドを、注入方向２６とは反対方向に付勢することができる。
【００３７】
注入アセンブリ１２が引き込みアセンブリ１６に取り外せないように（永久的に）固定される実施形態では、針４２が引き込みアセンブリ内へと引っ込むことによって、シリンジ１０は、針による不慮の穿刺について安全となり、従って廃棄について安全となる。
【００３８】
好都合にも、引き込みアセンブリ１６は、その中に密封された両頭針４２を有する内部領域５２を画成する。ここで、両頭針４２は、通気手段５６によって、変化する環境条件にもかかわらず、滅菌又は無菌状態に維持されることが可能である。
【００３９】
シリンジ１０は、組み立てて使用するための最終的に滅菌されたキット（図示せず）として、組み立てられていない状態で提供することができる。ここで、このキットは、注入アセンブリ１２及び引き込みアセンブリ１６を、滅菌されたパッケージ（包装）内に有することができる。従って、このキットによれば、使用者又は医療提供者は、単にパッケージを開封し、別個に供給される薬剤カートリッジ１４を引き込みアセンブリ１６内に配置し、そして注入アセンブリと引き込みアセンブリとを互いに固定することによって、シリンジ１０を使用のために準備することが可能である。いくつかの実施形態では、このキットは、予め包装されたアルコールスワブなどの１つ以上の注入部位清浄化スワブ（綿棒）を、滅菌されたパッケージ内に有することができる。他の実施形態では、このキットは、薬剤カートリッジ１４を、滅菌されたパッケージ内に有することができる。
【００４０】
第１、第２、第３、上（上部）、下（下部）などの用語が、本明細書において種々の要素を修飾するために用いられていることにも注意されたい。これらの修飾語は、特に記載しない限り、修飾される要素に関して、空間的、連続的、又は階層的な順番を示すものではない。
【００４１】
本開示を１つ以上の典型的な実施形態を参照して説明してきたが、当業者は、本開示の範囲から逸脱することなく、種々の変更を行うことができ、又その要素を均等物で置換することができることを理解するだろう。加えて、本開示の範囲から逸脱することなく、特定の状況又は材料を本開示の教示に適合させるために、様々な修飾を行うことができる。従って、本開示は、意図する最適な実施形態として開示された特定の実施形態に限定されるものではなく、本開示は、添付の特許請求の範囲の範囲内にある全ての実施形態を包含することを意図する。
【図面の簡単な説明】
【００４２】
【図１】図１は、本開示に従う自動注入シリンジの典型的な実施形態の斜視図である。
【図２】図２は、図１のシリンジの断面図である。
【図３】図３は、図１のシリンジの部分分解図である。
【図４】図４は、本開示に従う引き込みアセンブリの典型的な実施形態の注入前における断面図である。
【図５】図５は、図４の引き込みアセンブリの注入中及び引き込み前における断面図である。
【図１】
2009501615.tif 000003
【図２】
2009501615.tif 000004
【図３】
2009501615.tif 000005
【図４】
2009501615.tif 000006
【図５】
2009501615.tif 000007
【国際調査報告】
2009501615.tif 000008